(57)【要約】      （修正有）【課題】フィルターを小型化しカメラ内部に変換機構と共に設置することで、多種類のフィルターを脱着できるフィルターの収納変換機構を提供する。【解決手段】フィルターを撮象レンズの口径等に関係なく最も小型ですむ光路上のローパスフィルターと分光プリズムの間に切り替え機構と収納機構と共に収納設置する。フィルター９ａ，９ｂ，９ｃは１本の軸に副数個の回動する保持具により積層収納され花車状カム６ａ，６ｂ，６ｃに拠って光路上に選別施置され、別軸に１個だけ回動する保持具に保持されたダミーガラス１０は光路から排除されフィルター不使用時には自動的に復帰する様にする。フィルター及びタミーガラスホルダー収納機構を１個のユニットとして形成しカメラヘッドユニットの側面から簡単に脱着交換出来る様にして、出来るたけ多種類のフィルターが簡単に使用出来るようにする。【選択図】図１
0003146954.tif 000002
【実用新案登録請求の範囲】
【請求項１】
ハイビジョンカメラの撮象レンズマウント機構とその後ろのローパスフィルターと分光プリズムの間の空間に、単独でダミーガラスと積層状に複数個のフィルターを収納し、マウントリングの後ろに設けたギヤーリングにアイドラギヤーで連動する花車カム機構に拠って光路上のダミーガラス或いはフィルターを交互に変換する様にし、ダミーガラス及び積層収納フィルターの収納スペースを極限迄少なくした事を特徴とするハイビジョンカメラのフィルター収納交換機構。
【請求項２】
請求項１のダミーガラス及びフィルターの収納機構部を独立ユニットとし、カメラ側面から簡単に脱着出来る様にしたことを特徴とするハイビジョンカメラのフィルター収納交換機構。
【考案の詳細な説明】
【技術分野】
【０００１】  本考案はハイピジョンカメラのフィルター収納交換機構に関する物である。
【背景技術】
【０００２】  従来カメラのフィルターは撮象レンズの前面に取りつけ枠で保持・取りつけが行はれて居た。【０００３】  回転出来る円盤に複数個のフィルターを取りつけ、ターレット状に形成し、撮象レンズの前面でターレツトを回転し適合するフィルターを選別して使用する等が行われて居た。【０００４】  フィルター内蔵式も開発されていたが機構的制約で、スライド式或いは扇型ホルダー式のため内蔵フィルターの種類もダミーガラスを入れた場合１〜２種類しか収納できなかった。
【考案の開示】
【考案が解決しようとする課題】
【０００５】  従来のフィルター使用法では撮象レンズの口径に合わせた大口径フィルターを各種１個として、使用交換レンズの種類分用意しなければならず、その携帯・使用・管理には多くの問題があった。【０００６】  本考案は、この様な従来の方式が有していた問題を解決しようとするものであって、フィィルターを小型化しカメラ内部に変換機構と共に設置することで問題を解決することを目的とするものである。
【課題を解決するための手段】
【０００７】  フィルターを撮象レンズの口径等に関係なく最も小型ですむ光路上のローパスフィルターーと分光プリズムの間に切り替え機構と収納機構と共に収納設置する。【０００８】  フィルターは１本の軸に副数個の回動する保持具により積層収納され花車状カムに拠って光路上に選別施置され、別軸に１個だけ回動する保持具に保持されたダミーガラスは光路から排除されフィルター不使用時には自動的に復帰する様にする。【０００９】  フィルター及びタミーガラスホルダー収納機構を１個のユニットとして形成しカメラヘドユニットの側面から簡単に脱着交換出来る様にして、出来るたけ多種類のフィルターが簡単に使用出来るようにする。
【考案の効果】
【００１０】  本考案のダミーガラスとフィルターの収納交換機構の導入に拠って多種類のフィルター脱着交換が簡単容易に行えるためハイビジョンカメラの利便性の大幅な向上が見込める。
【考案の実施するための最良の形態】
【００１１】  以下、本考案の実施の形態を図１〜図１２に基づいて説明する。
【００１２】  図１は本考案実施例のハイビジョンカメラのヘッドユニットの正面から見た説明図であり、図２は同側面図で１は前面プロック筐体、２は撮象レンズのマウントリング３は本考案の花車カム６ａ．ｂ．ｃ．に一体直結するカムギヤー５をアイドルギヤー４を介して駆動するギヤーノブである。１１は分光プリズム保持部・１７はローパスフィルターである。
【００１３】  １３は本考案の収納交換機構部のユニット筐体で１４はフィルター監視窓のカバーレンズである。１５はフィルター９ａ．ｂ．ｃ．のホルダー７ａ．ｂ．ｃ．の複数個の回転用保持軸で各個にスプリングで収納位置に来るように保持されている。１６はダミーガラス１０のホルダー８の回転用軸でダミーガラス１０が常時光路窓１８・１９上にある様にホルダー８はスプリングを介して１６軸に保持されている。
【００１４】  図３・図４・図５・図６・は本考案に於けるフィルター交換機構の動作説明図で、図３・図５は収納ユニット１３と花車カム６ａ．ｂ．ｃ．の関係で、図４・図６は本体内でのダミーガラス１０とフィルター９ａ．ｂ．ｃ．の関係を示す図で１７はローパスフィルターである。
【００１５】  図３は花車カムがフリーの位置にある場合、１３収納交換機構部ユニットのフィルター保持軸１５に保持されたフィルターホルダー７ａ．ｂ．ｃ．はスプリングに拠りフィルター９ａ．ｂ．ｃ．を収納定位置に積層保持され・ダミーガラス１０はダミーガラスホルダー８の回転用軸１６に取りつけられ、スプリングに拠って光路窓１８．１９上の定位置に保持されている。図４は前記の場合の１前面ブロック筐体内の、９ａ．ｂ．ｃ．フィルター・．１０ダミーガラスの収納状態を示す断面図で、１前面ブロック筐体・１８・１９光路窓・１４カバーレンズ・１１分光プリズム保持部・１２分光プリズム・１３収納ユニット筐体・８ダミーガラスホルダー・１０ダミーガラス・９ａ．ｂ．ｃ．フィルター各種・１７ローバスフィルターである。
【００１６】  図５は花車カム６ａ．ｂ．ｃ，が回転作動し１番目カム６ａによってフィルターホルダー７ａのスライド部が押されフィルーターホルダー７ａは回転しフィルター９ａが光路上にセットされダミーガラス１０はダミーガラスホルダー８がフィルターホルダー７ａに押されて光路から排除された状態を示す図で、花車カム６ａ．ｂ．ｃ．は一体直結するカムギヤー５に拠って一定方向２０矢印方向に回転する。図６は前記の前面ブロック筐体１内の、フィルター９ａ．ｂ．ｃ．ダミーガラス１０の収納状態を示す断面図であって１前面ブロック筐体・１８・１９光路窓・１４カバーレンズ１１分光フリズム保持部・１２分光プリズム・１３収納ユニット筐体・８ダミーガラスホルダー・１０ダミーガラス・９ａ．ｂ．ｃ．フィルター各種・１７ローパスフィルターである。
【００１７】  図７〜図１２は、前面ブロック筐体１の内部に於いて、花車カム６ａ．ｂ．ｃ．の作動によるフィルター９ａ．ｂ．ｃ．及びダミーガラス１０の位置の変化状況を、花車カム６ａ．ｂ．ｃ．の作動順序に、フリーの図７・６ａ作動の図８・フリーの図９・６ｂ作動の図１０・フリーの図１１・６ｃ作動の図１２・の順に変換し図７に戻る。で示した物で１１プリズムホルダー・・１２分光プリズム・１４カバーレンズ・１３収納ユニット筐体・１８・１９光路窓・８ダミーガラスホルダー・１７ローパスフィルターである。
【図面の簡単な説明】
【００１８】
【図１】実施例の正面説明図
【図２】実施例の側面説明図
【図３】実施例収納ユニットの平面図
【図４】実施例本体内のダミーガラスとフィルターの関係図
【図５】実施例カム作動時の収納ユニットの平面図
【図６】実施例本体内のカム作動時ダミーガラスとフィルターの関係図
【図７】実施例本体内のダミーガラスとフィルターの関係図
【図８】実施例本体内のカム作動時ダミーガラスとフィルターの関係図
【図９】実施例本体内のダミーガラスとフィルターの関係図
【図１０】実施例本体内のカム作動時ダミーガラスとフィルターの関係図
【図１１】実施例本体内のダミーガラスとフィルターの関係図
【図１２】実施例本体内のカム作動時ダミーガラスとフィルターの関係図
【符号の説明】
【００１９】１…‥ヘッドユニット筐体
２…‥マウントリング
３…‥ギヤーノブ
４…‥アイドルギヤー
５…‥カムギヤー
６ａ…花車カム
６ｂ…花車カム
６ｃ…花車カム
７ａ…フィルターホルダー
７ｂ…フィルターホルダー
７ｃ…フィルターホルダー
８…‥ダミーガラスホルダー
９ａ…フイルター
９ｂ…フイルター
９ｃ…フイルター
１０…‥ダミーガラス
１１…‥プリズムホルダー
１２…‥分光プリズム
１３…‥収納ユニット筐体
１４…‥カバーレンズ
１５…‥フィルターホルダー軸
１６…‥ダミーガラスホルダー軸
１７…‥ローパスフィルター
１８…‥光路窓
１９…‥光路窓
２０…‥カム回転方向
【図１】
0003146954.tif 000003
【図２】
0003146954.tif 000004
【図３】
0003146954.tif 000005
【図４】
0003146954.tif 000006
【図５】
0003146954.tif 000007
【図６】
0003146954.tif 000008
【図７】
0003146954.tif 000009
【図８】
0003146954.tif 000010
【図９】
0003146954.tif 000011
【図１０】
0003146954.tif 000012
【図１１】
0003146954.tif 000013
【図１２】
0003146954.tif 000014